(57)【要約】【課題】スタイラスペンにおいて、ディスプレイを使った電子会議の進行を止めることなく、ディスプレイ上で選択された電子データの持運びを容易にすること。【解決手段】大型ディスプレイに表示された種々の電子データの中からスタイラスペンを使ってユーザが所望する電子データを選択するクリック操作がなされると、選択された電子データをその選択順に大型ディスプレイ側から受信してスタイラスペンの内蔵メモリ内に保存される。そのため、大型ディスプレイ２４に表示されている電子データの選択とデータの受信とが可能となる。【選択図】図７
2009199165.tif 000002
【特許請求の範囲】
【請求項１】
電子会議に使用されるディスプレイに所定のオブジェクト画像情報を入力するためのスタイラスペンであって、
ペン本体に内蔵されたメモリと、
前記ディスプレイに表示された種々の電子データの中から前記ペン本体を使ってユーザが所望する電子データを選択する操作がなされると、選択された電子データをその選択順に当該ディスプレイ側から受信して前記メモリに保存するためのデータ保存手段とを含むことを特徴とするスタイラスペン。
【請求項２】
前記ディスプレイは、電子データが表示される表示領域上に重ねて設けられたタッチパネルを含み、
前記データ保存手段は、前記タッチパネル上での前記ペン本体のクリック操作がなされると、これを契機に前記クリック操作により選択された電子データの前記メモリへの保存動作を行なうことを特徴とする請求項１に記載のスタイラスペン。
【請求項３】
前記ディスプレイからの電子データの受信を指示するための受信指示操作手段をさらに含み、
前記データ保存手段は、前記受信指示操作手段によるデータ受信操作がなされると、これを契機に前記選択電子データの受信を開始することを特徴とする請求項１又は請求項２に記載のスタイラスペン。
【請求項４】
前記受信指示操作手段の操作内容のキャンセルを指示するための受信キャンセル操作手段をさらに含み、
前記データ保存手段は、前記選択電子データの受信中に前記受信キャンセル操作手段によるキャンセル操作がなされると、これを契機に当該選択電子データの受信を中断することを特徴とする請求項３に記載のスタイラスペン。
【請求項５】
前記データ保存手段は、前記受信キャンセル操作手段によるキャンセル操作を契機として前記選択電子データの受信が中断した時点で、受信済みの電子データを削除することを特徴とする請求項４に記載のスタイラスペン。
【請求項６】
前記データ保存手段が前記受信キャンセル操作手段によるキャンセル操作を契機として前記選択電子データの受信が中断した時点で、その旨をメッセージ表示するための中断メッセージ表示手段をさらに含むことを特徴とする請求項４又は請求項５に記載のスタイラスペン。
【請求項７】
前記データ保存手段で受信し前記メモリに保存した電子データの属性を表示するための属性表示手段をさらに含むことを特徴とする請求項１〜請求項６の何れか１項に記載のスタイラスペン。
【請求項８】
前記属性表示手段により表示された複数の電子データの属性のうち必要な属性の電子データの選択を指示するための選択操作手段をさらに含むことを特徴とする請求項７に記載のスタイラスペン。
【請求項９】
前記データ保存手段により前記メモリ内に保存できるデータの残量を表示するための残量表示手段をさらに含むことを特徴とする請求項１〜請求項８の何れか１項に記載のスタイラスペン。
【請求項１０】
前記残量表示手段は、前記データ保持手段により前記メモリ内にデータを保存できなくなった場合には、その旨を特定の態様で表示することを特徴とする請求項９に記載のスタイラスペン。
【請求項１１】
前記メモリ内に保存された電子データの送信を指示するための送信指示操作手段をさらに含み、
前記データ保存手段は、前記送信指示操作手段によるデータ送信操作がなされると、これを契機に前記メモリ内に保存された電子データの前記ディスプレイへの送信を開始することを特徴とする請求項１〜請求項１０の何れか１項に記載のスタイラスペン。
【請求項１２】
前記メモリ内の受信済みの電子データを削除するモードが設定可能とされ、このモードにおいて、削除される電子データのファイル名をリスト表示するためのリスト表示手段をさらに含むことを特徴とする請求項１〜請求項１１の何れか１項に記載のスタイラスペン。
【請求項１３】
前記リスト表示手段は、予め定める属性に則した順に削除ファイル名のリスト表示を行なうことを特徴とする請求項１２に記載のスタイラスペン。
【請求項１４】
前記データ保存手段は、前記メモリ内で既に受信済みの電子データのファイル名と同一のファイル名のファイルを受信する場合には、新たに受信する電子データのファイル名にシリアル番号を付して名前付けして当該メモリに保存することを特徴とする請求項１〜１３の何れか１項に記載のスタイラスペン。
【請求項１５】
前記スタイラスペンを記録媒体として機能させる設定を指示するための機能設定操作手段と、
前記機能設定操作手段に対する特定の操作がなされると、前記受信指示操作手段、前記受信キャンセル操作手段、前記選択操作手段、及び前記送信指示操作手段をロックして無効化するためのロック手段とをさらに含むことを特徴とする請求項１１〜請求項１４の何れか１項に記載のスタイラスペン。
【請求項１６】
前記ロック手段が機能している状態において、前記機能設定操作手段に対する特定の操作がなされると、前記受信指示操作手段、前記受信キャンセル操作手段、前記選択操作手段、及び前記送信指示操作手段のロックを解除して有効化するためのロック解除手段をさらに含むことを特徴とする請求項１５に記載のスタイラスペン。
【発明の詳細な説明】
【技術分野】
【０００１】
本発明は、ペン本体にメモリが内蔵され、電子会議等に使用される大型ディスプレイに適用されるスタイラスペンに関する。
【背景技術】
【０００２】
近年、会議をするにあたり紙資料の配布を止め、電子データをインタラクティブホワイトボードのような大型ディスプレイに表示する利用が盛んになってきている。
【０００３】
また、ノート型パーソナルコンピュータ（以下、「ＰＣ」という）等のモバイルコンピュータが普及し電子データを持運ぶ機会も多くなってきている。
【０００４】
従来、コンピュータに保管されている電子データを移動し持運ぶには、ＵＳＢ（Ｕｎｉｖｅｒｓａｌ  Ｓｅｒｉａｌ  Ｂｕｓ）メモリ等の記憶媒体を使用するが、ＰＣの操作を伴うため、大型ディスプレイを使った会議中の場で直ぐに電子データを移動できない。
【０００５】
その一方で、スタイラスペンを使用するＰＤＡ（Ｐｅｒｓｏｎａｌ  Ｄｉｇｉｔａｌ  Ａｓｓｉｓｔａｎｔ）等の携帯情報端末においては、ペン本体にメモリを内蔵し、外部から無線通信等によりデータを自動的に受信することが可能で、この受信したデータを内蔵メモリに記憶させた上で、携帯情報端末にペンがセットされると、ペンの内蔵メモリに記憶されているデータを自動的に携帯情報端末に送信する技術が提案されている（例えば、特許文献１）。
【特許文献１】特開２００４−６２２５０号公報
【発明の開示】
【発明が解決しようとする課題】
【０００６】
上記の電子会議等で使用される大型ディスプレイは、電子データの表示領域上にタッチパネルが重ねられており、このタッチパネル上でスタイラスペンをタッチ操作することによって所定のオブジェクト画像情報の書込みが可能に構成されている。
【０００７】
この大型ディスプレイでは、多種類の電子データが表示される。仮にこれらの電子データをペンに送信しようとする場合、これら電子データのうちいずれをペンに送信するかを指定できるようにすることが好ましい。しかし、上記特許文献１には、ペンが無線通信等でデータを受信できる旨の記載はあるものの、いかにしてペンに送信すべきデータを選択するかについてついては全く記載はない。そのため、大型ディスプレイを使った電子会議において、ユーザが所望のデータのみを選択してペンの内蔵メモリに転送しようとする場合には、上記特許文献１に開示された技術は使用できない。この場合には例えば、別途、表示された電子データを選択する作業を大型ディスプレイに接続されたＰＣ上で行ない、選択されたデータをペンに送信するという処理が必要になる。その結果、電子会議の進行を妨げる結果となる。
【０００８】
本発明は、上記技術的課題に鑑みなされたもので、ディスプレイを使った電子会議の進行を止めることなく、ディスプレイ上で選択された電子データの持運びを容易にすることのできるスタイラスペンの提供を目的とする。
【課題を解決するための手段】
【０００９】
上目的を達成するため、本発明に係るスタイラスペンは、電子会議に使用されるディスプレイに所定のオブジェクト画像情報を入力するためのスタイラスペンであって、ペン本体に内蔵されたメモリと、ディスプレイに表示された種々の電子データの中からペン本体を使ってユーザが所望する電子データを選択する操作がなされると、選択された電子データをその選択順に当該ディスプレイ側から受信してメモリに保存するためのデータ保存手段とを含む。
【００１０】
具体的には、ディスプレイは、電子データが表示される表示領域上に重ねて設けられたタッチパネルを含み、データ保存手段は、タッチパネル上でのペン本体のクリック操作がなされると、これを契機にクリック操作により選択された電子データのメモリへの保存動作を行なう。
【００１１】
上記スタイラスペンは、ディスプレイからの電子データの受信を指示するための受信指示操作手段をさらに含み、データ保存手段は、受信指示操作手段によるデータ受信操作がなされると、これを契機に選択電子データの受信を開始する。
【００１２】
上記スタイラスペンは、受信指示操作手段の操作内容のキャンセルを指示するための受信キャンセル操作手段をさらに含み、データ保存手段は、選択電子データの受信中に受信キャンセル操作手段によるキャンセル操作がなされると、これを契機に当該選択電子データの受信を中断する。
【００１３】
上記スタイラスペンにおいて、データ保存手段は、受信キャンセル操作手段によるキャンセル操作を契機として選択電子データの受信が中断した時点で、受信済みの電子データを削除する。
【００１４】
上記スタイラスペンは、データ保存手段が受信キャンセル操作手段によるキャンセル操作を契機として選択電子データの受信が中断した時点で、その旨をメッセージ表示するための中断メッセージ表示手段をさらに含む。
【００１５】
上記スタイラスペンは、データ保存手段で受信しメモリに保存した電子データの属性を表示するための属性表示手段をさらに含む。
【００１６】
上記スタイラスペンは、属性表示手段により表示された複数の電子データの属性のうち必要な属性の電子データの選択を指示するための選択操作手段をさらに含む。
【００１７】
上記スタイラスペンは、データ保存手段によりメモリ内に保存できるデータの残量を表示するための残量表示手段をさらに含む。
【００１８】
上記スタイラスペンにおいて、残量表示手段は、データ保持手段によりメモリ内にデータを保存できなくなった場合には、その旨を特定の態様で表示する。
【００１９】
上記スタイラスペンは、メモリ内に保存された電子データの送信を指示するための送信指示操作手段をさらに含み、データ保存手段は、送信指示操作手段によるデータ送信操作がなされ、これを契機にメモリ内に保存された電子データのディスプレイへの送信を開始する。
【００２０】
上記スタイラスペンは、メモリ内の受信済みの電子データを削除するモードが設定可能とされ、このモードにおいて、削除される電子データのファイル名をリスト表示するためのリスト表示手段をさらに含む。
【００２１】
上記スタイラスペンにおいて、リスト表示手段は、予め定める属性に則した順に削除ファイル名のリスト表示を行なう。
【００２２】
ここに、「予め定める属性に則した順に削除ファイル名のリスト表示」に関しては、アルファベット、五十音、数字及びシリアル番号等の順にリスト表示することを例示することができる。
【００２３】
上記スタイラスペンにおいて、データ保存手段は、メモリ内で既に受信済みの電子データのファイル名と同一のファイル名のファイルを受信する場合には、新たに受信する電子データのファイル名にシリアル番号を付して名前付けして当該メモリに保存する。
【００２４】
上記スタイラスペンは、スタイラスペンを記録媒体として機能させる設定を指示するための機能設定操作手段と、機能設定操作手段に対する特定の操作がなされると、前記受信指示操作手段、前記受信キャンセル操作手段、前記選択操作手段、及び前記送信指示操作手段をロックして無効化するためのロック手段とをさらに含む。
【００２５】
上記スタイラスペンは、ロック手段が機能している状態において、機能設定操作手段に対する特定の操作がなされると、前記受信指示操作手段、前記受信キャンセル操作手段、前記選択操作手段、及び前記送信指示操作手段のロックを解除して有効化するためのロック解除手段をさらに含む。
【発明の効果】
【００２６】
本発明によると、ディスプレイに表示されている電子データの選択とデータの受信とが可能となるため、会議の進行を中断することなく、電子データの選択と持運びを容易に行なうことができる。
【発明を実施するための最良の形態】
【００２７】
以下、本発明の実施の形態について、添付図面に基づき詳細に説明する。
【００２８】
＜情報処理システム２０の構成＞
図１は本発明の実施の形態に係る情報処理システム２０の構成を簡略化して示す図である。
【００２９】
本実施の形態に係る情報処理システム２０は、スタイラスペン２２によるオブジェクト画像情報書込み及びＰＣ操作が可能な大型ディスプレイ２４、これに付属のコンピュータ（以下、「大型ディスプレイ付属コンピュータ」という。）２６及びネットワークコンピュータ２８を含む。
【００３０】
ここに、「オブジェクト画像情報」とは、図形及び文字等を含むオブジェクトに関する画像情報をいう。
【００３１】
大型ディスプレイ２４と大型ディスプレイ付属コンピュータ２６とは、ＲＧＢ接続されている。また、大型ディスプレイ付属コンピュータ２６とネットワークコンピュータ２８とは、ＬＡＮ（Ｌｏｃａｌ  Ａｒｅａ  Ｎｅｔｗｏｒｋ）接続されている。
【００３２】
本情報処理システム２０では、大型ディスプレイ付属コンピュータ２６又はネットワークコンピュータ２８に保存されている電子データを大型ディスプレイ２４のタッチパネル上に表示し、この表示された電子データをスタイラスペン２２でクリック選択し操作することによって、赤外線通信等の光学通信にてスタイラスペン２２への電子データの受信及び保存が可能とされている。
【００３３】
上記電子データを保存したスタイラスペン２２は、そのまま持運ぶことができ、大型ディスプレイ付属コンピュータ２６へ光学通信にて当該電子データを送信し保存することも可能である。
【００３４】
さらに、スタイラスペン２２は、大型ディスプレイ付属コンピュータ２６又はネットワークコンピュータ２８にＵＳＢ接続することができ、マウス等のポインティングデバイスを使用してディレクトリを指定し、それによって電子データの移動及び不要となった電子データの削除を行なうことができる。
【００３５】
＜大型ディスプレイ２４のハードウェア構成＞
図２は大型ディスプレイ２４のハードウェアを示すブロック図である。
【００３６】
図２を参照して、大型ディスプレイ２４は、スタイラスペン２２によるオブジェクト画像情報の書込み、及びＰＣ操作が可能なインタラクティブホワイトボード等の電子ボードであって、制御部３０、タッチパネル一体型液晶表示装置３２及び外部接続部３４を含む。
【００３７】
制御部３０は、大型ディスプレイ２４の制御中枢を司るものであって、ＣＰＵ（Ｃｅｎｔａｒｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等から構成されている。この制御部３０からはＢＵＳ３６が延びている。
【００３８】
タッチパネル一体型液晶表示装置３２は、上記電子データを表示する機能、及びスタイラスペン２２で上記電子データをクリック選択したことを検知する機能を有しており、液晶表示装置の表示領域上に透明タッチパネルを重ねて一体化した従来公知の構造を有している。このタッチパネル一体型液晶表示装置３２は、ＢＵＳ３６に接続されている。
【００３９】
外部接続部３４は、大型ディスプレイ付属コンピュータ２６とＲＧＢ接続ケーブル６０を介して接続されるＲＧＢ端子３８と、大型ディスプレイ付属コンピュータ２６で検知した電子データをスタイラスペン２２へ光学通信にて転送するときのインタフェイスとして機能する光学端子４０とを備えている。これらＲＧＢ端子３８及び光学端子４０は、ＢＵＳ３６に接続されている。
【００４０】
＜大型ディスプレイ付属コンピュータ２６のハードウェア構成＞
図３は大型ディスプレイ付属コンピュータ２６のハードウェア構成を示すブロック図である。
【００４１】
図３を参照して、大型ディスプレイ付属コンピュータ２６は、制御部５０、外部接続部５２及び記憶部５４を含む。
【００４２】
制御部５０は、大型ディスプレイ付属コンピュータ２６の制御中枢を司るものであって、ＣＰＵ、ＲＯＭ及びＲＡＭ等から構成されている。この制御部５０には、大型ディスプレイのタッチパネル一体型液晶表示装置３２の透明タッチパネルを制御する機能、タッチパネル一体型液晶表示装置３２上に表示されている電子データをスタイラスペン２２でクリック選択したときに図４に示すネットワークコンピュータ２８の記憶部７４に格納されている、対応の電子データを検知する機能、及びこの検知した電子データを大型ディスプレイ２４の光学端子４０を介してスタイラスペン２２に光学通信にて転送する機能が備えられている。制御部５０からは、ＢＵＳ５６が延びている。
【００４３】
外部接続部５２は、ネットワークコンピュータ２８に接続されているＬＡＮ回線Ｌとインタフェイスをとるネットワークインタフェイス（以下、「ネットワークＩ／Ｆ」という。）５８と、大型ディスプレイ２４とＲＧＢケーブル６０を介して接続されるＲＧＢ端子６２と、スタイラスペン２２のＵＳＢ端子１１０が着脱自在に差込まれるＵＳＢポート６４とを備えている。これらのネットワークＩ／Ｆ５８、ＲＧＢ端子６２及びＵＳＢポート６４は、ＢＵＳ５６に接続されている。
【００４４】
記憶部５４は、上記の電子データを格納するワーキングメモリとして機能するものであって、ＢＵＳ５６に接続されている。
【００４５】
＜ネットワークコンピュータ２８のハードウェア構成＞
図４はネットワークコンピュータ２８のハードウェア構成を示すブロック図である。
【００４６】
図４を参照して、ネットワークコンピュータ２８は、制御部７０、外部接続部７２及び記憶部７４を含む。
【００４７】
制御部７０は、ネットワークコンピュータ２８の制御中枢を司るものであって、ＣＰＵ、ＲＯＭ及びＲＡＭ等から構成されている。この制御部７０からは、ＢＵＳ７９が延びている。
【００４８】
外部接続部７２は、大型ディスプレイ付属コンピュータ２６に接続されている上記のＬＡＮ回線ＬにインタフェイスをとるネットワークＩ／Ｆ７６と、スタイラスペン２２のＵＳＢ端子１１０が着脱自在に差込まれるＵＳＢポート７８とを備えている。これらのネットワークＩ／Ｆ７６及びＵＳＢポート７８は、ＢＵＳ７９に接続されている。
【００４９】
記憶部７４は、上記の電子データを格納するワーキングメモリとして機能するものであって、ＢＵＳ７９に接続されている。
【００５０】
＜スタイラスペン２２のハードウェア構成＞
図５はスタイラスペン２２のハードウェア構成を示すブロック図である。
【００５１】
図５を参照して、スタイラスペン２２は、制御部８０、操作部８２、表示部８４、外部接続部８６及びメモリ８８を含む。
【００５２】
制御部８０は、スタイラスペン２２の制御中枢を司るものであって、ＣＰＵ、ＲＯＭ及びＲＡＭ等から構成されている。この制御部８０には、後述する操作部８２の光学端子１０８又はＵＳＢ端子１１０を介して電子データの読取り及び吐出し並びに圧縮を制御する機能と、電子データの上書き及び名前付けを判別する機能と、スタイラスペン２２のメモリ８８の空き容量を判別する機能とが備えられている。この制御部８０からは、ＢＵＳ８９が延びている。
【００５３】
操作部８２は、メディアモードボタン９０、データインボタン９２、データアウトボタン９４、キャンセルボタン９６、メモリ表示ボタン９８、上向き矢印キー１００及び下向き矢印キー１０２を備えている。メディアモードボタン９０は、スタイラスペン２２を記憶媒体として使う場合を切替えるためのボタンであって、長押しすることによってデータインボタン９２、データアウトボタン９４、メモリ表示ボタン９８及び矢印キー１００，１０２の全ての操作がロックされる（以下、この状態を単に「スタイラスペン２２のロック状態」という。）。データインボタン９２、データアウトボタン９４及びキャンセルボタン９６は、電子データの読取り及び吐出しを調整するためのボタンである。メモリ表示ボタン９８は、スタイラスペン２２のメモリ８８に格納されている電子データのファイル名等の属性を後述する表示部８４の表示パネル１０６に表示させるためのボタンである。これらのボタン９０，９２，９４，９６，９８及び矢印キー１００，１０２は、ＢＵＳ８９に接続されている。
【００５４】
表示部８４は、データインジケータ１０４及び表示パネル１０６を備えている。データインジケータ１０４は、制御部８０で判別されたメモリ８８の空き容量をインジケータ式で表示する。表示パネル１０６は、小型の液晶表示パネルであって、上記のファイル名等の属性をアルファベット、五十音、数字及びシリアル番号（連番）等の順に表示する。データインジケータ１０４及び表示パネル１０６は、ＢＵＳ８９に接続されている。
【００５５】
外部接続部８６は、大型ディスプレイ２４の光学端子４０を介して光学通信により上記電子データを送受信するときのインタフェイスである光学端子１０８、及びネットワークコンピュータ２８又は大型ディスプレイ付属コンピュータ２６のＵＳＢポート６４，７８に差込まれるＵＳＢ端子１１０を備えている。これらの光学端子１０８及びＵＳＢ端子１１０は、ＢＵＳ８９に接続されている。
【００５６】
メモリ８８は、上記外部接続部８６の光学端子１０８又はＵＳＢ端子１１０を介して受信した上記電子データを格納するものであって、図５に示すペン本体１２０に内蔵されている。このメモリ８８には、削除ファイル名リストを格納するための削除ファイル名リスト格納領域８８Ａが形成されている。このメモリ８８は、ＢＵＳ８９に接続されている。
【００５７】
＜スタイラスペン２２の操作部８２及び表示部８４の外観＞
図６はスタイラスペン２２の操作部８２及び表示部８４の外観構成を示す要部拡大図である。なお、ここでは紙面の左側をスタイラスペン２２のペン先側として説明する。
【００５８】
図６を参照して、操作部８２及び表示部８４は、ペン本体１２０の周面において３つの領域Ｒ１，Ｒ２，Ｒ３に分けて集約的に設けられている。
【００５９】
具体的には、ペン本体１２０の周面の第１の領域Ｒ１においては、キャンセルボタン９６を挟んで、ペン先側にデータインボタン９２が配置され、データアウトボタン９４が反ペン先側に配置されている。これらのデータインボタン９２、データアウトボタン９４及びキャンセルボタン９６は、同一のベース１２２上に搭載されている。
【００６０】
ペン本体１２０の周面の第２の領域Ｒ２においては、データインジケータ１０４及び表示パネル１０６がこの順で上下に配列されている。データインジケータ１０４は、図６によく示されているように、複数のランプ（本実施の形態において５個）で構成されている。
【００６１】
ペン本体１２０の周面の第２の領域Ｒ２よりも反ペン先側の第３の領域Ｒ３においては、メディアモードボタン９０、メモリ表示ボタン９８及び矢印キー１００，１０２が設けられている。第３の領域Ｒ３のペン先側には、上向き矢印キー１００及び下向き矢印キー１０２がこの順で上下方向に沿って配置されている。他方、第３の領域Ｒ３の反ペン先側においては、メモリ表示ボタン９８及びメディアモードボタン９０はこの順で上下に配置されている。
【００６２】
＜動作＞
（その１）
図７及び図８に示すフローチャートを用いて、光学通信により大型ディスプレイ２４の電子データをスタイラスペン２２で受信しそのメモリ８８に保存するときの動作について説明する。
【００６３】
図７を参照して、まず、スタイラスペン２２の制御部８０は、当該スタイラスペン２２がロック状態にあるか否かを判別する（ステップＳ１００）。この判別結果に応じて、制御はブランチする。
【００６４】
スタイラスペン２２がロック状態でない場合には、制御部８０は、制御をステップＳ１０２に進める。これに対し、スタイラスペン２２がロック状態にある場合には、制御部８０は、メディアモードボタン９０の長押し操作を待ってスタイラスペン２２のロック状態を解除し（ステップＳ１２６及びＳ１２８）、その後制御をステップＳ１０２に進める。
【００６５】
制御がステップＳ１０２に進むと、制御部８０は、メディアモードボタン９０がＯＮ操作されるのを待つ。メディアモードボタン９０がＯＮ操作されると、スタイラスペン２２が記録媒体として機能するので、ユーザにメモリ８８の空容量を確認させるために、データインジケータ１０４のランプを点灯させることによってメモリ容量の表示を行なわせる（ステップＳ１０４）。このとき、メモリ８８の容量に余裕がない、即ち空容量がない場合には、データインジケータ１０４の全てのランプが赤色点灯しその旨が表示され、メモリ８８の容量に余裕がある、即ち空容量がある場合には、データインジケータ１０４のランプの最大数より少ない数のランプが点灯しその旨が表示される。その後、制御部８０は、制御をステップＳ１０６に進める。
【００６６】
制御がステップＳ１０６に進むと、制御部８０は、メモリ８８に空容量があるか否かを判別する。この判別結果に応じて、制御はブランチする。
【００６７】
メモリ８８の容量が足りない場合（ステップＳ１０６においてＹＥＳ）には、上述したようにデータインジケータ１０４のランプが全て点灯されていわゆる満タン表示がなされるが、制御部８０は、空き容量がなく保存できない旨のメッセージを表示パネル１０６に表示させると共に、既に受信済みの電子データを圧縮して再保存するか否かのメッセージを表示パネル１０６に表示させる（ステップＳ１３０）。その後、制御部８０は、圧縮が不要として矢印キー１００，１０２で表示パネル１０６上の「ＮＯ」がユーザにより選択された場合（ステップＳ１３２においてＮＯ）には、処理を中断し（ステップＳ１３４）、圧縮が必要であるとして矢印キー１００，１０２で表示パネル１０６上の「ＹＥＳ」がユーザにより選択された場合（ステップＳ１３２においてＹＥＳ）には、制御をステップＳ１０６に戻す。
【００６８】
メモリ８８に空容量がある場合（ステップＳ１０６においてＹＥＳ）には、スタイラスペン２２を使って大型ディスプレイ２４に表示された電子データのうちスタイラスペン２２の内蔵メモリ８８に格納したい電子データがペン本体１２０でクリックされることによって選択されるのを待つ（ステップＳ１１０）。
【００６９】
電子データをメモリ８８に格納するために上記スタイラスペン２２によるクリック選択操作がなされると、制御部８０は、この状態でデータインボタン９２が操作がなされるのを待つ（ステップＳ１１２）。
【００７０】
データインボタン９２が操作されると、制御部８０は、ステップＳ１１４〜Ｓ１２４までの制御を実行する。具体的には、データインボタン９２が押されたことを契機として、ネットワークコンピュータ２８又は大型ディスプレイ付属コンピュータ２６に格納されている電子データの光学通信によるデータ送信が始まる。データ送信中、電子データを格納できるだけの容量がメモリ８８に余裕があるか否かを再度確認し、メモリ８８に容量の余裕がある場合には、光学端子１０８を介した電子データの受信が始まる。このとき、受信電子データのファイル名と既に受信済みの電子データのファイル名とが同一である場合には、表示パネル１０６に上書きするか否かのメッセージを表示し、上書きしないことが選択されると、新たに受信する電子データのファイル名に連番（シリアル番号）を付して自動リネームして受信を継続する。選択した電子データに間違いがなく電子データの受信を継続する場合、そのままの状態で電子データの受信を行い、電子データをスタイラスペン２２の内蔵メモリ８８内に保存する。
【００７１】
間違えて電子データを選択したとき等のように電子データの受信を途中で止めたい場合には、ユーザによりキャンセルボタン９６が押されるが、制御部８０は、ステップＳ１２２において当該キャンセルボタン９６が操作されたか否かを判別する。
【００７２】
キャンセルボタン９６が操作された場合には、制御部８０は、図８に示すステップＳ２００〜Ｓ２０４の制御を行なう。
【００７３】
図８を参照して、制御部８０は、電子データの受信をキャンセルする旨のメッセージを表示パネル１０６に表示させ（ステップＳ２００）、電子データの受信を遮断し（ステップＳ２０２）、スタイラスペン２２の内蔵メモリ８８内に途中まで保存されている電子データを削除する（ステップＳ２０４）。
【００７４】
なお、図７に示すステップＳ１１６において、メモリ８８の容量が足りない場合には、制御部８０は、上記のステップＳ１３０〜Ｓ１３４の制御を実行する。
【００７５】
上記のようにして大型ディスプレイ２４に表示された種々の電子データの中からスタイラスペン２２のペン本体１２０を使ってユーザが所望する電子データを選択するクリック操作がなされると、選択された電子データがその選択順に大型ディスプレイ２４側から受信されスタイラスペン２２の内蔵メモリ８８内に保存される。
【００７６】
（その２）
図９に示すフローチャートを用いて、上記のスタイラスペン２２の内蔵メモリ８８に保存している電子データを大型ディスプレイ２４に送信し保存するときの動作について説明する。
【００７７】
図９を参照して、まず、スタイラスペン２２の制御部８０は、当該スタイラスペン２２がロック状態にあるか否かを判別する（ステップＳ３００）。スタイラスペン２２がロック状態でない場合には、制御部８０は、制御をステップＳ３０２及びＳ３０４に進める。これに対し、スタイラスペン２２がロック状態にある場合には、制御部８０は、メディアモードボタン９０の長押し操作を待ってスタイラスペン２２のロック状態を解除し（ステップＳ３１６及びＳ３１８）、その後制御をステップＳ３０２及びＳ３０４に進める。
【００７８】
制御がステップＳ３０２及びＳ３０４に進むと、制御部８０は、メディアモードボタン９０及びメモリ表示ボタン９８がこの順でＯＮ操作されるのを待つ。メディアモードボタン９０及びメモリ表示ボタン９８が順次操作されると、制御部８０は、ステップＳ３０６〜Ｓ３１２の制御を実行する。
【００７９】
具体的には、制御部８０は、スタイラスペン２２の内蔵メモリ８８に保存されている上記電子データのファイル名を表示パネル１０６にアルファベット、五十音、数字及びシリアル番号（連番）等の順に表示する。表示しているファイル名をユーザが確認して、矢印キー１００，１０２を使ってデータ移動したい電子データのファイル名を選択した状態で、データアウトボタンを操作すると、制御部８０は、スタイラスペン２２の内蔵メモリ８８に保存されている電子データのうち、ステップＳ３０８において選択した電子データの上記付属コンピュータ２６の実質的にデスクトップとなる大型ディスプレイ２４へ向けての光学通信によるデータ送信を開始する。この送信された電子データが光学端子４０を介して大型ディスプレイ２４へ転送される。選択した電子データに間違いがなく電子データの送信を継続する場合には、制御部８０は、そのままの状態で電子データの送信を行なう。この送信された電子データは、大型ディスプレイ２４にＲＧＢ接続された大型ディスプレイ付属コンピュータ２６の記憶部５４に保存される。
【００８０】
ステップＳ３１４において、間違えて電子データを選択したとき等のように電子データの送信を途中で止めたい場合には、キャンセルボタン９６が操作されるが、制御部８０は、このキャンセルボタン９６が操作されると、電子データの送信をキャンセルする旨のメッセージを表示パネル１０６に表示させ（ステップＳ３２０）、処理を中断する（ステップＳ３２２）。
【００８１】
（その３）
図１０に示すフローチャートを用いて、スタイラスペン２２を大型ディスプレイ付属コンピュータ２６又はネットワークコンピュータ２８にＵＳＢ接続し、スタイラスペン２２の内蔵メモリ８８内に保存している電子データの移動、及び不要となった電子データの削除を行なうときの動作について説明する。
【００８２】
図１０を参照して、まず、スタイラスペン２２の制御部８０は、当該スタイラスペン２２がロック状態にあるか否かを判別し（ステップＳ４００）、ロック状態でない場合には、そのまま制御をステップＳ４０２に進め、スタイラスペン２２がロック状態にある場合には、メディアモードボタン９０の長押し操作を待ってロック状態を解除し（ステップＳ３１６及びＳ３１８）、制御をステップＳ４０２に進める。
【００８３】
制御がステップＳ４０２に進むと、制御部８０は、スタイラスペン２２のＵＳＢ端子１１０を大型ディスプレイ付属コンピュータ２６のＵＳＢポート６４又はネットワークコンピュータ２８のＵＳＢポート７８に差込み接続されるのを待つ。スタイラスペン２２と大型ディスプレイ付属コンピュータ２６又はネットワークコンピュータ２８とのＵＳＢ接続がされると、制御部８０は、ステップＳ４０４〜４１８の制御を実行する。
【００８４】
具体的には、スタイラスペン２２と大型ディスプレイ付属コンピュータ２６又はネットワークコンピュータ２８とのＵＳＢ接続によって、スタイラスペン２２がコンピュータのリムーバブルディスクとして認識され、ネットワークコンピュータ２８のモニタ又は大型ディスプレイ２４にスタイラスペン２２の内蔵メモリ８８に保存されている電子データ及びディレクトリ構造が表示される。
【００８５】
ステップＳ４０４において、スタイラスペン２２の内蔵メモリ８８の容量に余裕があって大型ディスプレイ付属コンピュータ２６のデスクトップとなる大型ディスプレイ２４以外に上記電子データを移動したい場合には、表示している電子データをマウス等のポインティングデバイスを使って選択し、所望の保存場所へ移動する。
【００８６】
他方、ステップＳ４０４において、スタイラスペン２２の内蔵メモリ８８の容量に余裕がなく不要な電子データを削除したい場合には、制御部８０は、メモリ８８内に保存されている電子データのファイル名を表示パネル１０６にリスト表示させる（ステップＳ４１０）。このとき、同時に、リスト表示された電子データの中から予め削除する電子データを指定しておくか否かのメッセージが表示パネル１０６に表示される。電子データを予め指定する場合、矢印キー１００，１０２で削除する電子データを選択しておくと、選択された削除ファイル名がメモリ８８内の削除ファイル名リスト格納領域８８Ａに格納される。よって、ステップＳ４１４において、ステップＳ４１２で指定された電子データのみのデータ削除が可能となる。これに対し、削除する電子データを予め指定しない場合には、ステップＳ４１６及びステップＳ４１８において、ユーザは、表示パネル１０６上に表示している電子データのうち削除したいデータを任意に矢印キーで選択し削除する。
【００８７】
＜作用・効果＞
本実施の形態によると、特に以下の作用・効果を奏する。
【００８８】
大型ディスプレイ２４に表示された種々の電子データの中からスタイラスペン２２を使ってユーザが所望する電子データを選択するクリック操作がなされると、選択された電子データがその選択順に大型ディスプレイ２４側から受信されスタイラスペン２２の内蔵メモリ８８内に保存される。そのため、大型ディスプレイ２４に表示されている電子データの選択とデータの受信とが可能となる。その結果、会議の進行を中断することなく、電子データの選択と持運びとを容易に行なうことができる。
【００８９】
また、スタイラスペン２２の表示パネル１０６に削除ファイル名リストを表示する場合は、アルファベット、五十音、数字、及び連番等の順に表示されるので、削除するファイル名をリストから見つけやすい。
【００９０】
さらに、スタイラスペン２２の内蔵メモリ８８内の既に受信済みの電子データのファイル名と同一のファイル名を受信する場合、上書きが指定されないときには、新たに受信する電子データのファイル名に連番を付して自動リネームされるので、同ファイル名であるが、旧ファイルと中身が異なる場合にも保存が可能となる。
【００９１】
さらにまた、スタイラスペン２２に設けたメディアモードボタン９０を長押しすることによってスタイラスペン２２の全てのボタン操作がロックされるので、スタイラスペン２２に設けた各種のボタンの誤操作によって受信済みのファイルが削除されてしまうことを防ぐことができる。
【００９２】
なお、本発明は上記実施の形態に限定されるものではない。上記実施の形態においては、スタイラスペン及び大型ディスプレイ間の電子データの通信を赤外線通信等の光学通信にて行なう例について記載した。しかし、本発明はそのような構成に限定されない。例えば、Ｂｌｕｅｔｏｏｔｈ（登録商標）通信等の近距離無線通信を利用してスタイラスペン及び大型ディスプレイ間での電子データの通信を行なってもよい。その他、本明細書に添付の特許請求の範囲内での種々の設計変更及び修正を加え得ることは勿論である。
【００９３】
すなわち、本明細書で開示された実施の形態は単に例示であって、本発明が上述した実施の形態のみに制限されるわけではない。本発明の範囲は、本明細の記載内容を参酌した上で、特許請求の範囲の請求項によって示され、そこに記載された文言と均等の意味及び範囲内での全ての変更を含む。
【図面の簡単な説明】
【００９４】
【図１】本発明の実施の形態に係る情報処理システムの構成を簡略化して示す図である。
【図２】大型ディスプレイのハードウェアを示すブロック図である。
【図３】大型ディスプレイ付属コンピュータのハードウェア構成を示すブロック図である。
【図４】ネットワークコンピュータのハードウェア構成を示すブロック図である。
【図５】スタイラスペンのハードウェア構成を示すブロック図である。
【図６】スタイラスペンの操作部及び表示部の外観構成を示す要部拡大図である。
【図７】光学通信により大型ディスプレイの電子データを受信しメモリに保存するときのスタイラスペンの制御の流れを示すフローチャートである。
【図８】光学通信により大型ディスプレイの電子データを受信しメモリに保存するときのスタイラスペンの制御の流れを示すフローチャートであって、図７の続きを示す。
【図９】メモリに保存している電子データを大型ディスプレイに送信し保存するときのスタイラスペンの制御の流れを示すフローチャートである。
【図１０】スタイラスペンを大型ディスプレイ付属コンピュータ又はネットワークコンピュータにＵＳＢ接続し、メモリ内に保存している電子データの移動、及び不要となった電子データの削除を行なうときのスタイラスペンの制御の流れを示すフローチャートである。
【符号の説明】
【００９５】
２０  情報処理システム
２２  スタイラスペン
２４  大型ディスプレイ
２６  大型ディスプレイ付属コンピュータ
２８  ネットワークコンピュータ
６４，７８  ＵＳＢポート
８０  制御部
８２  操作部
８４  表示部
８６  外部接続部
８８  メモリ
９０  メディアモードボタン
９２  データインボタン
９４  データアウトボタン
９６  キャンセルボタン
９８  メモリ表示ボタン
１００，１０２  矢印キー
１０４  データインジケータ
１０６  表示パネル
１０８  光学端子
１１０  ＵＳＢ端子
【図１】
2009199165.tif 000003
【図２】
2009199165.tif 000004
【図３】
2009199165.tif 000005
【図４】
2009199165.tif 000006
【図５】
2009199165.tif 000007
【図６】
2009199165.tif 000008
【図７】
2009199165.tif 000009
【図８】
2009199165.tif 000010
【図９】
2009199165.tif 000011
【図１０】
2009199165.tif 000012